(57)【要約】【課題】配管内の断熱効果を高めるエアコン室外機及びエアコンシステムを得ることを目的とする。【解決手段】熱交換ユニット１ａ〜１ｅに接続されている配管の接続口７を建物の壁面１１に対するベース３の取付面に施し、その配管を室内機１３の配管１２と直結するように構成した。これにより、建物から引き出された室内機１３の配管１２が直接的にエアコン室外機内に取り込まれるようになり、その結果、その配管１２が直接外気に触れず、配管１２内の断熱効果を高めることができる。【選択図】        図１
2004263926.tif 000002
【特許請求の範囲】
【請求項１】
吸込み口から吸込まれた室外の空気と室内機から送られた冷媒の間で熱交換を行う熱交換器と、上記熱交換器と対向配置され、上記吸込み口から室外の空気を吸込んで上記熱交換器に通し、その熱交換器を通過した空気を室外に排出する送風機とを備えたエアコン室外機において、上記熱交換器と上記送風機を搭載している本体を建物の壁面に取り付けるとともに、上記熱交換器に接続されている配管の接続口を建物の壁面に対する本体の取付面に施して、その配管を室内機の配管と直結することを特徴とするエアコン室外機。
【請求項２】
室内に設置され、室内の空気を吸込んで冷媒と熱交換し、その熱交換後の空気を室内に送風するエアコン室内機と、室外に設置され、室外の空気と上記エアコン室内機から送られた冷媒の間で熱交換し、熱交換後の冷媒を上記エアコン室内機に戻すエアコン室外機とを備えたエアコンシステムにおいて、上記エアコン室外機を建物の壁面に取り付けるとともに、上記エアコン室外機の配管の接続口を建物の壁面に対する上記エアコン室外機の取付面に施して、その配管を上記エアコン室内機の配管と直結することを特徴とするエアコンシステム。
【発明の詳細な説明】
【０００１】
【発明の属する技術分野】
この発明は、配管内の断熱効果を高めるエアコン室外機及びエアコンシステムに関するものである。
【０００２】
【従来の技術】
従来のエアコン室外機は、一般的に、地面やベランダに設置される（以下の特許文献１を参照）。
したがって、室内の天井に近い位置に設置されるエアコン室内機と、エアコン室外機とでは、地面からの設置高に差異が生じる。
そのため、エアコン室内機から引き出される配管は、一旦、建物の外に出されてから、その建物の壁面に沿って下方向に引き回されてエアコン室外機の配管と接続される。
【０００３】
【特許文献１】
特開平１０−１９３０８号公報（段落番号［０００７］から［０００８］、図２）
【０００４】
【発明が解決しようとする課題】
従来のエアコンシステムは以上のように構成されているので、エアコン室内機から引き出される配管が一旦建物の外に出されてから、その建物の壁面に沿ってエアコン室外機が設置されている場所まで引き回される。そのため、エアコン室内機から引き出される配管が外気に直接さらされる結果、その配管内の断熱効果が劣化することがあるなどの課題があった。
【０００５】
この発明は上記のような課題を解決するためになされたもので、配管内の断熱効果を高めるエアコン室外機及びエアコンシステムを得ることを目的とする。
【０００６】
【課題を解決するための手段】
この発明に係るエアコン室外機は、熱交換器と送風機を搭載している本体を建物の壁面に取り付けるとともに、その熱交換器に接続されている配管の接続口を建物の壁面に対する本体の取付面に施して、その配管を室内機の配管と直結するようにしたものである。
【０００７】
【発明の実施の形態】
以下、この発明の実施の一形態を説明する。
実施の形態１．
図１はこの発明の実施の形態１によるエアコン室外機を示す斜視図、図２はこの発明の実施の形態１によるエアコン室外機を示す分解斜視図、図３はこの発明の実施の形態１によるエアコン室外機を示す正面図である。また、図４はこの発明の実施の形態１によるエアコン室外機の取り付けを示す説明図である。
図において、長方形型の熱交換器は複数の熱交換ユニット１ａ，１ｂ，１ｃ，１ｄ，１ｅから構成され、熱交換ユニット１ａ〜１ｅは吸込み口（吸込み口はプロペラファン２ａ，２ｂ，２ｃの前面に取り付けられている）から吸込まれた室外の空気と室内機１３から送られた冷媒の間で熱交換を実施する。プロペラファン２ａ，２ｂ，２ｃは熱交換ユニット１ａ〜１ｅと対向配置され、吸込み口から室外の空気を吸込んで熱交換ユニット１ａ〜１ｅに通し、その熱交換ユニット１ａ〜１ｅを通過した空気を室外に排出する。
【０００８】
ベース３，４はエアコン室外機を建物の壁面１１に取り付ける取付部材であり、引抜材５，６は熱交換ユニット１ａ〜１ｅ，プロペラファン２ａ〜２ｃ及びベース３，４等を固定している。熱交換ユニット１ａ〜１ｅに接続されている配管の接続口７は建物の壁面１１に対するベース３の取付面に施され、その配管が室内機１３の配管１２と直結されている。
【０００９】
次に動作について説明する。
この実施の形態１では、５台の熱交換ユニット１ａ〜１ｅが縦方向に並べられ、３台のプロペラファン２ａ〜２ｃが縦方向に並べられているが、エアコンの冷暖房能力に応じて熱交換ユニットとプロペラファンの台数が決定される。
なお、引抜材５，６の長さを調整することにより、本体の縦方向のサイズ変更に対応している。
【００１０】
熱交換ユニット１ａ〜１ｅに接続されている配管の接続口７は、建物の壁面１１に対するベース３の取付面に施されており、その配管が室内機１３の配管１２と直結される（図４を参照）。
これにより、建物から引き出された室内機１３の配管１２が直接的にエアコン室外機内に取り込まれるため、その配管１２が直接外気に触れず、配管１２内の断熱効果を高めることができる。
なお、図５は配管の内部を示す断面図であり、配管内には冷媒管とドレン管と換気（往路、復路）と電源が配され、外周面に断熱材が施されている。因みに、直結方式ではない従来品においては、断熱効果が低いため、換気（往路、復路）等は配されていない。
【００１１】
上記のようにして、エアコン室外機が建物の壁面１１に取り付けられたのち（図４（ｂ）を参照）、プロペラファン２ａ〜２ｃが回転を開始すると、プロペラファン２ａ〜２ｃの前面に取り付けられている吸込み口から室外の空気の吸込みを開始し、その空気が熱交換ユニット１ａ〜１ｅに流入する。
熱交換ユニット１ａ〜１ｅに流入された空気は、室内機１３の配管１２を通じて、その室内機１３から送られた冷媒との間で熱交換され、熱交換後の空気が室外に排出される。
【００１２】
以上で明らかなように、この実施の形態１によれば、熱交換ユニット１ａ〜１ｅに接続されている配管の接続口７を建物の壁面１１に対するベース３の取付面に施し、その配管を室内機１３の配管１２と直結するように構成したので、建物から引き出された室内機１３の配管１２が直接的にエアコン室外機内に取り込まれるようになり、その結果、その配管１２が直接外気に触れず、配管１２内の断熱効果を高めることができる効果を奏する。
【００１３】
【発明の効果】
以上のように、この発明によれば、熱交換器と送風機を搭載している本体を建物の壁面に取り付けるとともに、その熱交換器に接続されている配管の接続口を建物の壁面に対する本体の取付面に施して、その配管を室内機の配管と直結するように構成したので、建物から引き出された室内機の配管が直接的にエアコン室外機内に取り込まれるようになり、その結果、その配管が直接外気に触れず、配管内の断熱効果を高めることができる効果がある。
【図面の簡単な説明】
【図１】この発明の実施の形態１によるエアコン室外機を示す斜視図である。
【図２】この発明の実施の形態１によるエアコン室外機を示す分解斜視図である。
【図３】この発明の実施の形態１によるエアコン室外機を示す正面図である。
【図４】この発明の実施の形態１によるエアコン室外機の取り付けを示す説明図である。
【図５】配管の内部を示す断面図である。
【符号の説明】
１ａ〜１ｅ  熱交換ユニット、２ａ〜２ｃ  プロペラファン、３，４  ベース、５，６  引抜材、７  接続口、１１  建物の壁面、１２  室内機の配管、１３
室内機。
【図１】
2004263926.tif 000003
【図２】
2004263926.tif 000004
【図３】
2004263926.tif 000005
【図４】
2004263926.tif 000006
【図５】
2004263926.tif 000007